(57)【要約】      （修正有）【課題】枠体に固定される宅配ボックスを備える建具において、袖部に配置される投函口に投函された郵便物等の投函物を速やかに確認して回収できるように室内側で保持できる構成を提供する。【解決手段】建具は、縦枠、横枠及び方立を有する枠体と、枠体の内側で方立の左右一側に配置される戸体と、枠体の内側で方立の左右他側に配置され、開口部１０１を有する袖部と、開口部１０１に配置され、枠体に固定される宅配ボックス６０と、袖部における開口部１０１の上方に配置される投函口８００と、を備える。宅配ボックス６０は、投入口が室外側に形成されるとともに枠体より見込方向室内側に延出する箱状の本体部６１を有し、本体部６１の天面６６０が投函口８００の見込方向室内側の端部の下側に位置する。【選択図】図７
2019127779.tif 000002
【特許請求の範囲】
【請求項１】
縦枠、横枠及び方立を有する枠体と、
前記枠体の内側で前記方立の左右一側に配置される戸体と、
前記枠体の内側で前記方立の左右他側に配置され、開口部を有する袖部と、
前記開口部に配置され、前記枠体に固定される宅配ボックスと、
前記袖部における前記開口部の上方に配置される投函口と、
を備え、
前記宅配ボックスは、
投入口が室外側に形成されるとともに前記枠体より見込方向室内側に延出する箱状の本体部を有し、当該本体部の天面が前記投函口の見込方向室内側の端部の下側に位置する建具。
【請求項２】
前記宅配ボックスは、
前記天面の左右方向の幅が前記投函口の左右方向の幅よりも広く形成される請求項１に記載の建具。
【請求項３】
前記本体部は、前記枠体より室内側が開閉不能に構成され、前記投入口には開閉可能な扉が設けられる請求項１又は２に記載の建具。
【発明の詳細な説明】
【技術分野】
【０００１】
本発明は、宅配ボックスを備える建具に関する。
【背景技術】
【０００２】
従来、不在時に宅配物を受け取るための宅配ボックスにおいて、玄関ドアの袖部に配置される建具と一体型のものが知られている。この種の建具を記載するものとして例えば特許文献１がある。特許文献１には、玄関ドア枠内における袖面に郵便物投入口に加えて配達物投入扉を設けた建具について記載されている。
【先行技術文献】
【特許文献】
【０００３】
【特許文献１】実全昭６１−０９４１７４号公報
【発明の概要】
【発明が解決しようとする課題】
【０００４】
特許文献１に記載される建具では、宅配物を収容するボックスと郵便物を収容するボックスが一体的な構成となっており、ボックスごとに取出口が設けられる構成である。室外側から郵便投入口を通じて配達された郵便物は、ボックスの室内側に形成される取出口から回収されることになるが、郵便物がボックスに入っているか否かが取出口の扉を開くまでわからなかった。また、扉を開いて取出口に手を差し入れる必要があり、郵便物を速やかに回収するという点で改善の余地があった。
【０００５】
本発明は、枠体に固定される宅配ボックスを備える建具において、袖部に配置される投函口に投函された郵便物等の投函物を速やかに確認して回収できるように室内側で保持できる構成を提供することを目的とする。
【課題を解決するための手段】
【０００６】
本発明は、縦枠（例えば、後述の縦枠３１，３２）、横枠（例えば、後述の横枠３３，３４）及び方立（例えば、後述の方立３５）を有する枠体（例えば、後述の枠体３０）と、前記枠体の内側で前記方立の左右一側に配置される戸体（例えば、後述の戸体２０）と、前記枠体の内側で前記方立の左右他側に配置され、開口部（例えば、後述の開口部１０１）を有する袖部（例えば、後述の袖部１０）と、前記開口部に配置され、前記枠体に固定される宅配ボックス（例えば、後述の宅配ボックス６０）と、前記袖部における前記開口部の上方に配置される投函口（例えば、後述の投函口８００）と、を備え、前記宅配ボックスは、投入口（例えば、後述の投入口６０１）が室外側に形成されるとともに前記枠体より見込方向室内側に延出する箱状の本体部（例えば、後述の本体部６１）を有し、当該本体部の天面（例えば、後述の天面６６０）が前記投函口の見込方向室内側の端部の下側に位置する建具（例えば、後述の建具１）に関する。
【０００７】
前記宅配ボックスは、前記天面の左右方向の幅（例えば、後述の幅Ｗ２）が前記投函口の左右方向の幅（例えば、後述の幅Ｗ１）よりも広く形成されることが好ましい。
【０００８】
前記本体部は、前記枠体より室内側が開閉不能に構成され、前記投入口には開閉可能な扉（例えば、後述の扉６２）が設けられることが好ましい。
【発明の効果】
【０００９】
本発明の枠体に固定される宅配ボックスを備える建具によれば、袖部に配置される投函口に投函された郵便物等の投函物を速やかに確認して回収できるように室内側で保持できる。
【図面の簡単な説明】
【００１０】
【図１】本発明の一実施形態に係る建具を室外側から見た図である。
【図２】本実施形態の建具における袖部の縦断面図である。
【図３】本実施形態の建具における上部の横断面図である。
【図４】本実施形態の建具における下部の横断面図である。
【図５】本実施形態の宅配ボックスに固定される上面取付プレート及び側面取付プレートを示す斜視図である。
【図６】本実施形態の宅配ボックスの扉が開いた状態を示す斜視図である。
【図７】本実施形態の宅配ボックスの天面に投函物が受け止められる様子を示す拡大縦断面図である。
【発明を実施するための形態】
【００１１】
以下、本発明の好ましい実施形態について、図面を参照しながら説明する。図１は、本実施形態に係る建具１の正面図である。図２は、建具１における袖部１０の縦断面図である。図３は、建具１における上部の横断面図であり、図４は、建具の下部の横断面図である。なお、以下の説明で左右方向は、図１を正面としたときの左右方向である。
【００１２】
図１〜図４に示す建具１は、枠体３０と、戸体２０と、袖部１０と、を備える玄関ドアである。
【００１３】
枠体３０は、建具１の四周を構成するともに、戸体２０と袖部１０の間を仕切るものである。枠体３０は、一対の縦枠３１、３２と、一対の横枠３３、３４と、方立３５と、無目３６と、を備える。
【００１４】
一対の縦枠３１、３２は、建具の左右方向における一方と他方の端部に配置される。一方の縦枠３１は、袖部１０の側方に、他方の縦枠３２は、戸体２０の側方に配置される。一対の横枠３３、３４は、建具の上下に配置される。一対の縦枠３１、３２及び一対の横枠３３、３４が建具１の四周を形成する。
【００１５】
方立３５は、枠体３０の内側を左右一側と左右他側に区画する。方立３５によって区画された左右一側に戸体２０が配置され、左右他側に袖部１０が配置される。無目３６は、縦枠３１と方立３５の間に配置される。無目３６によって袖部１０が上下に区画される。方立３５における戸体２０側の見込面には保持片３６８が形成され、この保持片３６８が閉鎖位置の戸体２０に見込方向で当接する室外側気密材３６９を支持する。
【００１６】
戸体２０は、枠体３０に対して開閉可能に取り付けられており、建具１の出入口を構成する。本実施形態の戸体２０は、縦枠３２に複数のヒンジ３２０を介して回転可能に支持される。縦枠３２におけるヒンジ３２０が固定される見込面には、保持片３２２が形成される。保持片３２２は、閉鎖位置の戸体２０に見込方向で当接するクッション材３２１を支持する。
【００１７】
袖部１０は、その上部に採光パネル１２が配置され、下部に宅配ボックス６０が配置される開口部１０１を有する。また、採光パネル１２と宅配ボックス６０の間には郵便ポスト８０が配置される。
【００１８】
採光パネル１２は、光を透過する部材によって構成される。本実施形態の採光パネル１２は、室外側パネル１２ａと室内側パネル１２ｂがスペーサー１２ｃを介して離間するように配置される複層ガラス（ガラス面材）である。
【００１９】
採光パネル１２を保持する構成について説明する。図２に示すように、採光パネル１２の上部は、横枠３３の下側に配置される上部保持部材３３１によって保持される。上部保持部材３３１の下部は採光パネル１２の上部が差し込まれるガラス溝となっている。上部保持部材３３１には、室外側気密材３３２及び室内側気密材３３３が配置されており、採光パネル１２は、その上部が見込方向で室外側気密材３３２と室内側気密材３３３に挟み込まれた状態で保持される。
【００２０】
採光パネル１２の下部は、無目３６の上部に形成される下部保持部３６１よって保持される。下部保持部３６１は、その上部がガラス溝となっており、上部保持部材３３１と同様に、室外側気密材３６２と室内側気密材３６３が配置される。採光パネル１２は、その下部が見込方向で室外側気密材３６２と室内側気密材３６３に挟み込まれた状態で保持される。また、下部保持部３６１の内側には採光パネル１２を下から支持するセッティングブロック３６４が配置される。
【００２１】
図３に示すように、採光パネル１２は、左右方向一側の側部が方立３５によって保持されるとともに、左右方向他側の側部が縦枠３１によって保持される。
【００２２】
方立３５の袖部１０側の見込面には室外側保持片３５１及び室内側延出片３５２が形成される。また、方立３５の見込面における室外側保持片３５１と室内側延出片３５２の間には、室内側係合部材３５３を係合するための係合片３５７が形成される。室内側係合部材３５３は、その室内側の部位が室内側延出片３５２に係合されるとともに室外側端部が係合片３５７に係合される。室外側保持片３５１と室内側係合部材３５３によってガラス溝が形成され、該ガラス溝の内側にはセッティングブロック３５６が配置される。また、室外側保持片３５１は、方立３５の本体部分から見付方向の縦枠３１側に延びた後、見込方向室内側に屈曲するように形成される。室外側保持片３５１の先端には室外側気密材３５４が配置される。室内側係合部材３５３は、見付方向の縦枠３１側に延びた後、見込方向室外側に屈曲するように形成され、その先端には室内側気密材３５５が配置される。採光パネル１２は、その方立３５側の側部が見込方向で室外側気密材３５４と室内側気密材３５５に挟み込まれた状態で保持される。方立３５の室外側保持片３５１及び室内側延出片３５２は、方立３５の本体部分の室外側面３５ａ及び室内側面３５ｂよりも見込方向内側で袖部１０側に突出する。このため、方立３５の室外側面３５ａには、袖部１０側で室内側に窪むような段差が形成される。
【００２３】
縦枠３１の袖部１０側の見込面には室外側保持片３１１及び室内側延出片３１２が形成される。また、縦枠３１の見込面における室外側保持片３１１と室内側延出片３１２の間には、室内側係合部材３１３を係合するための係合片３１７が形成される。室内側係合部材３１３は、その室内側の部位が室内側延出片３１２に係合されるとともに室外側端部が係合片３１７に係合される。室外側保持片３１１と室内側係合部材３１３によってガラス溝が形成され、該ガラス溝の内側にはセッティングブロック３１６が配置される。また、室外側保持片３１１は、縦枠３１の本体部分から見付方向の方立３５側に延びた後、見込方向室内側に屈曲するように形成される。室外側保持片３１１の先端には室外側気密材３１４が配置される。室内側係合部材３１３は、見付方向の縦枠３１側に延びた後、見込方向室外側に屈曲するように形成され、その先端には室内側気密材３１５が配置される。採光パネル１２は、その縦枠３１側の側部が見込方向で室外側気密材３１４と室内側気密材３１５に挟み込まれた状態で保持される。縦枠３１の室外側保持片３１１及び室内側延出片３１２は、方立３５の室外側保持片３５１及び室内側延出片３５２とそれぞれ向かい合う位置に配置される。室外側保持片３１１及び室内側延出片３１２は、縦枠３１の本体部分の室内側面３１ａ及び室外側面３１ｂよりも見込方向内側で袖部１０側に突出する。このため、縦枠３１の室外側面３１ｂには、袖部１０側で室内側に窪むような段差が形成される。この段差は、方立３５側で形成される段差と対称な位置で形成される。
【００２４】
室外側気密材３３２、３６２、３５４、３１４は、何れも先付ビードであり、ゴム等の弾性変形可能な部材によって構成される。室内側気密材３３３，３６３，３５５，３１５も、弾性変形可能な部材によって構成される。
【００２５】
宅配ボックス６０は、無目３６を挟んで採光パネル１２の下方に位置する。宅配ボックス６０は、宅配物等を収容可能な空間を有する本体部６１と、本体部６１に対して開閉可能に取り付けられる扉６２と、を主要な構成として備える。
【００２６】
図５は、本実施形態の宅配ボックス６０に固定される上面取付プレート７０及び側面取付プレート７１，７２を示す斜視図である。図６は、本実施形態の宅配ボックス６０の扉６２が開いた状態を示す斜視図である。図７は、本実施形態の宅配ボックス６０の天面６６０に投函物９０が受け止められる様子を示す拡大縦断面図である。
【００２７】
図５〜図７に示すように、本実施形態の宅配ボックス６０には、本体部６１の上面に配置される上面取付プレート７０と、本体部６１の左右両側の側面にそれぞれ配置される側面取付プレート７１，７２と、が配置される。
【００２８】
上面取付プレート７０は、本体部６１の上面に固定される固定面７００と、固定面７００の室外側端部から上方に屈曲する室外側見付面部７０１と、固定面７００の室内側端部から上方に屈曲した後、見込方向室外側に延びて下方に折り返す当接部７０２と、を備える（図２参照）。図５に示すように、ネジ等の締結部材７０５が固定面７００を貫通して本体部６１に固定されることで上面取付プレート７０が本体部６１に固定される。
【００２９】
無目３６の下面には室外側保持片３６５及び室内側延出片３６６が形成されている。室外側保持片３６５は、無目３６の本体部分から下方に延出した後、見込方向室内側に屈曲する。室外側保持片３６５の先端には、室外側気密材３６７が固定される。宅配ボックス６０が袖部１０に固定された状態では、上面取付プレート７０の室外側見付面部７０１が、室外側気密材３６７に見込方向で接触するとともに当接部７０２の室外側の見付面７０３が室内側延出片３６６に対向する状態となる。無目３６は、縦枠３１及び方立３５よりも室内側に奥まっており、段差状になっている。当接部７０２は、宅配ボックス６０が固定された状態で、その室内側の面が縦枠３１及び方立３５の室内側の面と面一になる形状に構成される。
【００３０】
側面取付プレート７１は、本体部６１の側面に固定される固定面７１０と、固定面７１０の室外側端部から縦枠３１側に屈曲する室外側見付面部７１１と、固定面７１０の室内側端部から縦枠３１側に延出した後、見込方向室外側に延び、更に本体部６１側に折り返す当接部７１２と、を備える（図４参照）。図５に示すように、ネジ等の締結部材７０５が固定面７１０を貫通して本体部６１に固定されることで側面取付プレート７１が本体部６１に固定される。
【００３１】
宅配ボックス６０が袖部１０に固定された状態では、側面取付プレート７１の室外側見付面部７１１が、縦枠３１の室外側保持片３１１の室外側気密材３１４に見込方向で接触するとともに当接部７１２の室外側の見付面７１３が室内側延出片３５２に対向する状態となる。図８に示すように、当接部７１２の室内側面には貫通孔７２５が上下方向に間隔をあけて複数形成される。この貫通孔７２５を通じてリベット等の締結部材７１６が当接部７１２の室外側の見付面を貫通して縦枠３１の室外側保持片３１１に締結される。貫通孔７２５にはカバー部材７３０が配置され、締結部材７１６が室内側からも見えない位置となっている。
【００３２】
側面取付プレート７２は、本体部６１の側面に固定される固定面７２０と、固定面７２０の室外側端部から方立３５側に屈曲する室外側見付面部７２１と、固定面７２０の室内側端部から方立３５側に延出した後、見込方向室外側に延び、更に本体部６１側に折り返す当接部７２２と、を備える。図７に示すように、ネジ等の締結部材７０５が固定面７２０を貫通して本体部６１に固定されることで側面取付プレート７２が本体部６１に固定される。
【００３３】
宅配ボックス６０が袖部１０に固定された状態では、側面取付プレート７２の室外側見付面部７２１が、方立３５の室外側保持片３５１の室外側気密材３５４に見込方向で接触するとともに当接部７２２の室外側の見付面７２３が室内側延出片３５２に対向する状態となる。当接部７２２の室内側面には貫通孔７２５が上下方向に間隔をあけて複数形成される。この貫通孔７２５を通じてネジ等の締結部材７２６が当接部７２２の室外側の見付面を貫通して方立３５の室外側保持片３５１に締結される。貫通孔７２５にはカバー部材７３０が配置され、締結部材７１６が室内側からも見えない位置となっている。
【００３４】
宅配ボックス６０の下面６０５は、横枠３４の上側に配置される下部保持部材３４１によって保持される。下部保持部材３４１の上部は溝状になっている。下部保持部材３４１の室外側上部には室外側気密材３４５が配置される。本体部６１の室外側は、この室外側気密材３４５を介して下から支持される。
【００３５】
図６に示すように、本体部６１は、枠体３０に固定された状態で室外側に取出口を兼ねる投入口６０１が形成される。本体部６１の投入口６０１が扉６２によって閉鎖されることにより、宅配ボックス６０の内部が外部から隔てられる。扉６２は、本体部６１における縦枠３１側に開閉可能に支持されている。扉６２の方立３５側に位置する戸先側が手掛け部６２１となっている。また、扉６２には、暗証番号を入力する操作部６２２やロック機構６２３等の機能部品が配置される。
【００３６】
次に、郵便ポスト８０について説明する。郵便ポスト８０は、無目３６に埋設されるポスト本体８１と、ポスト本体８１の室外側に取り付けられる室外側カバー部８２と、ポスト本体８１の室内側に取り付けられる室内側カバー部８３と、を備える。
【００３７】
ポスト本体８１は、内側に見込方向室外側と室内側を連通する投函口８００が形成される筒状の部材である。
【００３８】
図７に示すように、室外側カバー部８２は、投函口８００の室外側を閉鎖する室外側カバー８２１を備える。室外側カバー８２１は、捻りバネ等によって投函口８００の室外側を閉鎖する方向に付勢されており、投函物９０が押し込まれると室内側に回転し、投函口８００の室外側を開く構造となっている。
【００３９】
室内側カバー部８３は、投函口８００の室内側を閉鎖する室内側カバー８３１と、室内側カバー８３１の内側で上下に配置されるモヘア８３２，８３３と、を備える。室内側カバー８３１は、捻りバネ等によって投函口８００の室内側を閉鎖する方向に付勢されており、投函物９０が室外側から押し込まれると室内側に回転し、投函口８００の室内側を開く構造となっている。モヘア８３２とモヘア８３３は、上下方向で先端が対向するように配置される。
【００４０】
次に、郵便ポスト８０と宅配ボックス６０の位置関係について説明する。宅配ボックス６０は、枠体３０に固定された状態で郵便ポスト８０の下方に位置する。本実施形態では、宅配ボックス６０の天面６６０の左右方向の幅Ｗ２が、投函口８００の左右方向の開口幅Ｗ１よりも広くなる構成となっている（図３参照）。投函口８００の幅Ｗ２の全域が、平面視において天面６６０の範囲に納まっている。
【００４１】
郵便ポスト８０に投函される投函物９０の動きについて説明する。投函物９０が室外側カバー部８２の室外側カバー８２１に押し当てられると室外側カバー８２１の下端部が室内側に回転し、投函口８００の室外側の端部が開いた状態となる。投函物９０は、投函口８００を通過した後、モヘア８３２とモヘア８３３の間を通過して室内側カバー８３１に接触する。投函物９０が室外側から室内側に押し込まれることによって室内側カバー８３１の下端部が室内側に回転して投函口８００が室内側に開き、投函物９０が投函口８００の下側に位置する本体部６１の天面６６０に落下し、宅配ボックス６０の天面６６０に受け止められる。
【００４２】
次に、宅配ボックス６０における宅配物の取出方法について説明する。本実施形態の宅配ボックス６０は、本体部６１の室内側に取出口が形成されていない。そのため、扉６２を開いたときのみ投入口６０１を通じて宅配ボックス６０の本体部６１の内部にアクセスできるようになっている。
【００４３】
以上説明した上記実施形態によれば、以下のような効果を奏する。
建具１は、縦枠３１，３２、横枠３３，３４及び方立３５を有する枠体３０と、枠体３０の内側で方立３５の左右一側に配置される戸体２０と、枠体３０の内側で方立３５の左右他側に配置され、開口部１０１を有する袖部１０と、開口部１０１に配置され、枠体３０に固定される宅配ボックス６０と、袖部１０における開口部１０１の上方に配置される投函口８００と、を備える。宅配ボックス６０は、投入口６０１が室外側に形成されるとともに枠体３０より見込方向室内側に延出する箱状の本体部６１を有し、当該本体部６１の天面６６０が投函口８００の見込方向室内側の端部の下側に位置する。
【００４４】
これにより、投函口８００を通じて室内側に投函された投函物９０が宅配ボックス６０の天面６６０で受け止められるので、従来技術のように投函物９０を保持する収容ボックス等の構成を別途設ける必要がなく、宅配ボックス６０とともに投函口８００を備える建具１の構成をシンプルにまとめることができる。また、室内側に延出する本体部６１の天面６６０に載った状態で投函物９０が保持されるので、投函物９０が投函されたか否かを即座に判断できるとともに、扉等をあける動作を行うことなく、投函物９０を室内側で速やかに回収できる。
【００４５】
本実施形態では、宅配ボックス６０は、天面６６０の左右方向の幅Ｗ２が投函口８００の左右方向の幅Ｗ１よりも広く形成される。
【００４６】
これにより、投函口８００を通じて室内側に投入された投函物９０を宅配ボックス６０の天面６６０で確実に受け止めることができる。
【００４７】
また、本実施形態の本体部６１は、枠体３０より室内側が開閉不能に構成され、投入口６０１には開閉可能な扉６２が設けられる。
【００４８】
これにより、本体部６１における枠体３０の室内側が閉じられているので、悪意のある第三者が扉６２を開いたとしても、投入口６０１を通じて室内側に手や器具を差し入れたりすることができない構造となっている。そして、本体部６１の室内側に取出口が形成されない構造なので、投函物９０が投函口８００に投函され、天面６６０に載っている状態で本体部６１の扉６２を開いたとしても、本体部６１の内部から投函物９０に到達することができず、第三者が室外側から天面６６０に載っている投函物９０を取り出せないようになっている。
【００４９】
以上、本発明の好ましい実施形態について説明したが、本発明は、上述の実施形態に制限されるものではなく、適宜変更が可能である。
【００５０】
上記実施形態の宅配ボックス６０の本体部６１の構成は事情に応じて適宜変更することができる。例えば、宅配ボックス６０の本体部６１の天面６６０に投函物９０を保持するための構成としてストッパやすべり止めを加えることもできる。また、建具１の設置状況や枠体のレイアウトによっては宅配ボックスの本体部の天面の左右方向の幅が投函口の左右方向の幅以下に構成することもできる。この場合において、本体部の天面に受け面を拡大する構成を追加してもよい。
【００５１】
上記実施形態の袖部１０は、採光パネル１２を有する固定式であるが、袖部の構成はこの構成に限定されない。例えば、枠体に対して袖部が開閉可能な子扉として構成してもよい。
【符号の説明】
【００５２】
１  建具
１０  袖部
２０  戸体
３０  枠体
３１，３２  縦枠
３３，３４  横枠
３５  方立
６０  宅配ボックス
６１  本体部
６２  扉
１０１  開口部
６０１  投入口
６６０  天面
８００  投函口
【図１】
2019127779.tif 000003
【図２】
2019127779.tif 000004
【図３】
2019127779.tif 000005
【図４】
2019127779.tif 000006
【図５】
2019127779.tif 000007
【図６】
2019127779.tif 000008
【図７】
2019127779.tif 000009